(57)【要約】本発明は、施設や露地で食用植物の抽苔の発生を防止、または抑制して、通常な収穫期間より３倍以上長い収獲期間に拡張されるようにした植物栽培管理機で食用植物の収獲期間を拡張して、収穫量を極大化するための装置及び方法に関する。本装置は、施設管理機内で生育される食用植物の収獲期間を拡大して収獲量を極大化させることにおいて、蘭石と 、パーライトと、ひゅうが土とを含む水分吸収部材を底から一定の高さだけ収容し、その水分吸収部材に水分を供給するための水を水分吸収部材の高さに収容し、前記水分吸収部材の上に隔離のための保湿部材と肥料混合用土が順次に設けられている多数の植物栽培管理機と、前記植物栽培管理機の肥料混合用土の上に着根させるために、相互の生育空間の要求距離ほど離隔されるように、固定及び配置されていて、食用植物の育苗と成苗の中のいずれかを収獲可能に生育させるために移動されている多数の生育ポートと、前記植物栽培管理機を、管理者または作業者が前記食用植物の立姿収獲可能な高さで配置するために、一対が相互に離隔可能に設けられていて、前記植物栽培管理機の間に一定の離隔間隔で配列して、空気循環通路を確保するための多数の支持台と、前記一対の支材台の離隔間隔の間に、前記植物栽培管理機の配列方向に沿って、長く設けられていて、前記空気循環通路に向けて個別的に冷気と、温気との中から選択された一種の風を供給するエアホールが設けられていて、前記エアホールから供給された風によって、前記植物栽培管理機で生育されるそれぞれの前記食用植物に増産作用を促進させて、食用植物の抽苔の発生を抑制するエアダクトと、前記エアダクトの一側の末端に位置し、前記エアダクトの流路に沿って強制送風する送風ファンとを含む。【選択図】図１
2017523769.tif 000002
【特許請求の範囲】
【請求項１】
施設管理機内で生育される食用植物の収獲期間を拡大して収穫量を極大化させる装置において、
蘭石と、パーライトと、ひゅうが土とを含む水分吸収部材を底から一定の高さだけ収容し、その水分吸収部材に水分を供給するための水を水分吸収部材の高さに収容し、前記水分吸収部材上に隔離のための保湿部材と肥料混合用土が順次に設けられている多数の植物栽培管理機と、
前記植物栽培管理機の肥料混合用土の上に着根させるために、相互の生育空間の要求距離ほど離隔されるように、固定、配置されていて、食用植物の育苗と成苗の中のいずれかを収獲可能に生育させるために移動されている多数の生育ポットと、
前記植物栽培管理機を、管理者または作業者が前記食用植物の立姿収獲可能な高さで配置するために、一対が相互に離隔可能に設けられていて、前記植物栽培管理機の間に一定の離隔間隔で配列して、空気循環通路を確保するための多数の支持台と、
前記一対の支持台の離隔間隔の間に、前記植物栽培管理機の配列方向に沿って、長く設けられていて、前記空気循環通路に向けて個別的に冷気と、温気との中から選択された一種の風を供給するエアホールが設けられていて、前記エアホールから排出される風によって、前記植物栽培管理機で生育するそれぞれの前記食用植物に増産作用を促進させて、食用植物の抽苔の発生を抑制するエアダクトと、
前記エアダクトの一側の末端に位置し、前記エアダクトの流路に沿って強制送風する送風ファンとを含むことを特徴とする植物栽培管理機で食用植物の収獲期間を拡張して収穫量を極大化するための装置。
【請求項２】
前記支持台と前記植物栽培管理機の間に位置し、前記一対の支持台の一側と他側に沿って、それぞれ前記植物栽培管理機の配列方向へ滑り移動可能に設けられていて、前記植物栽培管理機で生育ポットに生育される食用植物の生育空間を確保するために、相互に接触されない間隔で、速やかに移動するように誘導する管理機移動レールと、
前記植物栽培管理機内に液肥の供給と、ミネラルの供給と、微生物供給との中から選択的に供給して、前記食用植物に適当な標的生育を提供する点滴潅水部材をさらに含むことを特徴とする請求項１に記載の植物栽培管理機で食用植物の収獲期間を拡張して収穫量を極大化するための装置。
【請求項３】
施設管理機内で生育される食用植物の収獲期間を拡大して収獲量を極大化させる方法において、
蘭石と、パーライトと、ひゅうが土とを含む水分吸収部材を底から一定の高さだけ収容し、その水分吸収部材に水分を供給するための水を水分吸収部材の高さに収容するための多数の植物栽培管理機を準備し、前記水分吸収部材の上に隔離のための保湿部材と肥料混合用土が順次に設けられる準備段階と、
前記食用植物の育苗と成苗の中のいずれかが植栽された多数の生育ポットを相互の生育空間の要求距離ほど離隔されるように、固定及び配置し、前記植物栽培管理機の肥料混合用土の上に着根させ、収獲可能に生育させるために移動させるポット移動段階と、
前記植物栽培管理機を、管理者または作業者が前記食用植物の立姿収獲可能な高さで配置するために、一対が相互に離隔可能に設けられている多数の支持台を利用して、前記植物栽培管理機の間に一定の離隔間隔で配列し、空気循環通路を確保する通路確保段階と、
前記一対の支持台の離隔間隔の間に、前記植物栽培管理機の配列方向に沿って、長く設けられているエアダクトと多数のエアホールに沿って、個別的な前記植物栽培管理機に冷気と温気の中から選択された一種の風を前記空気循環通路へ供給して、前記植物栽培管理機で生育するそれぞれの前記食用植物に増産作用を促進させて、食用植物の抽苔の発生を抑制する抽苔防止段階とを含むことを特徴とする請求項１に記載の植物栽培管理機で食用植物の収獲期間を拡張して収穫量を極大化するための方法。
【請求項４】
前記支持台と前記植物栽培管理機の間に位置し、前記一対の支持台の一側と他側に沿って、それぞれ前記植物栽培管理機の配列方向へ滑り移動可能に設けられている管理機移動レールを利用して、前記食用植物が成苗に生育しながら、前記植物栽培管理機で生育ポットの食用植物が相互に接触されない間隔で、速やかに移動するように誘導する移動誘導段階と、
前記移動誘導段階の後に、前記食用植物の収獲が終わると、育苗と成苗が植栽された前記生育ポットを、前記ポット移動段階のように交替して、前記移動誘導段階に至るまで繰り返す段階を、さらに含むことを特徴とする請求項３に記載の植物栽培管理機で食用植物の収獲期間を拡張して収穫量を極大化するための方法。
【請求項５】
前記植物栽培管理機内に液肥の供給と、ミネラルの供給と、微生物の供給との中から選択的に供給して、前記食用植物に適当な標的生育を提供する点滴潅水段階を、さらに含み、前記抽苔防止段階は、前記エアダクトの一側の末端に位置した送風ファンが、前記エアダクトの流路に沿って、強制送風して、前記エアホールから風を供給することを含むことを特徴とする請求項３に記載の植物栽培管理機で食用植物の収獲期間を拡張して収穫量を極大化するための方法。
【請求項６】
露地で食用植物の収獲期間を拡大して収穫量を極大化させる方法において、
蘭石と、パーライトと、ひゅうが土とを含む水分吸収部材を底から一定の高さだけ収容し、その水分吸収部材に水分を供給するための水を水分吸収部材の高さに収容するための多数の植物栽培管理機を準備し、前記水分吸収部材の上に隔離のための保湿部材と肥料混合用土が順次に設けられる準備段階と、
前記食用植物の育苗と成苗の中のいずれかが植栽された多数の生育ポットを相互の生育空間の要求距離ほど離隔されるように、固定及び配置し、前記植物栽培管理機の肥料混合用土の上に着根させ、収獲可能に生育させるために移動させるポット移動段階と、
前記植物栽培管理機を、管理者または作業者が前記食用植物の立姿収獲可能な高さで配置するために、一対が相互に離隔可能に設けられている多数の支持台を利用して前記植物栽培管理機の間に一定の離隔間隔で配列し、空気循環通路を確保する通路確保段階と、
酷暑期に、温度の上昇で根圏部の呼吸量が増加される場合、前記植物栽培管理機に保存された水の水位を低めて、減少量ほど空隙率を増加させ、その空隙率による溶存酸素量を増加させて、抽苔の発生を抑制させる抽苔防止段階を含むことを特徴とする植物栽培管理機で食用植物の収獲期間を拡張して収穫量を極大化するための方法。
【発明の詳細な説明】
【技術分野】
【０００１】
本発明は、植物栽培管理機で食用植物の収獲期間を拡張して収穫量を極大化するための装置及び方法に関し、更に詳しくは、施設や露地で食用植物の抽苔の発生を防止または抑制して、通常な収獲期間より２〜３倍以上長い収獲期間に拡張することができるようにした植物栽培管理機で食用植物の収獲期間を拡張して収穫量を極大化するための装置及び方法に関する。
【背景技術】
【０００２】
通常に、食用植物は、露地の土壌に苗で植栽されて、成苗に至るまで生育されるものである。このような食用植物は、作業者の動線を確保するために、畝と畝間を繰り返して形成した後に、畝に一定の間隔で植栽されている。
【０００３】
このような栽培方法は、前記食用植物が施設内に栽培されようが露地に栽培されようが、土壌に植栽する方法しかないので、次のような問題点がある。
【０００４】
即ち、畝と畝間が繰り返された植栽空間には、作業者の動線を確保して、速やかに移動しながら、食用植物の生育のための管理が可能で、収獲にも容易にできる畝間が繰り返し設けられている。しかし、このような畝間は、栽培面積である畝の面積を、相対的に減らすので、食用植物の生育空間が減少して、生産量が減少する問題点と、収穫期に作業者がいざりで作業を行わなければならないので、作業速度が遅くなって収穫量が減少し、作業者の疲労度を増加させて、収穫量をもっと減少させる要因になる問題点がある。このように、収穫への困難性により、作業者を求めることがますます困難な状況が発生している。
【０００５】
また、季節的に、冬に施設内の露地の土壌に食用植物(または低温性食用植物)が植栽されている場合、季節の変化に従って、高温環境、即ち、高温生理障害が造成されて、食用植物の生育環境が極度に悪化されるので、食用植物に抽苔が発生して、収獲期間が減ってこれ以上の収獲を期待することができなく、収穫量の減少する問題点がある。このため、農家では相当な被害を被る問題点がある。
【０００６】
そして、このような露地の土壌、即ち、土耕栽培には肥料を土壌に予め入れてやる基肥で生育させていて、追加的に追肥と水の供給だけを間欠的に提供するので、その食用植物に適当な生育環境を提供することができなくて、均衡生育が不可能になる問題点がある。ここで、前記追肥は、追加的に必要時に入れてやる肥料である。
【０００７】
また、施設ではない露地に食用植物が植栽されている場合、旺盛に生育活動を活発にする時期に、水の供給だけで生育環境を造成するので、食用植物が根圏部に旺盛な呼吸活動ができなくて、即ち、根圏部生理障害によって、収穫期にもかかわらず抽苔が発生して、これ以上の収獲を期待することができない状況のため、相当な被害が発生する問題点がある。
【０００８】
最終的には、上述したような露地の土壌、即ち、土耕栽培方法は、収穫量を拡大することができない問題点があるので、収穫量の拡大のために、改善しなければならない状況に直面している。
【発明の概要】
【発明が解決しようとする課題】
【０００９】
本発明は、前記のような問題点を解決するために創案したことで、移動の可能な植物栽培管理機で、食用植物を栽培するので、収獲の時、移動線を減らして、栽培面積当たり定植苗を拡大し、施設や露地で食用植物の抽苔の発生を防止または抑制して、通常な収獲期間より２〜３倍以上長い収獲期間に拡張するために、前記植物栽培管理機の間に空気循環通路を確保して、その空気循環通路を通じて冷気、温気の選択的な風を供給するので、前記食用植物の増産作用を促進させるようにした植物栽培管理機で食用植物の収獲期間を拡張して、収穫量を極大化するための装置及び方法を提供することに、その目的がある。
【００１０】
また、本発明は、点滴潅水部材を利用して、植物栽培管理機内に液肥の供給、ミネラルの供給、微生物の供給の中から選択的に供給するので、食用植物に適当な標的生育ができるようにし、良質の商品性を持つ均衡生育ができるようにした植物栽培管理機で食用植物の収獲期間を拡張して収穫量を極大化するための装置及び方法を提供することに、その目的がある。
【００１１】
また、本発明は、露地で食用植物の抽苔の発生を防止または抑制して、通常な収獲期間より２〜３倍以上長い収獲期間に拡張するために、前記食用植物が植栽された植物栽培管理機に保存された水の水位を低めて、減少量ほど空隙率を増加させて、その空隙率による溶存酸素量を増加させて、抽苔の発生を抑制させるようにした植物栽培管理機で食用植物の収獲期間を拡張して、収穫量を極大化するための装置及び方法を提供することに、その目的がある。
【００１２】
また、本発明は、支持台を通じて、前記植物栽培管理機を前記食用植物の立姿収獲可能な高さで配置するので、作業者の低労動力で収穫量を進めるようにした植物栽培管理機で食用植物の収獲期間を拡張して、収穫量を極大化するための装置及び方法を提供することに、その目的がある。
【００１３】
また、本発明は、植物栽培管理機に食用植物が植栽されたポットを肥料混合用土に埋めるように安着させるので、ポットから食用植物の分離作業を行われないようにした植物栽培管理機で食用植物の収獲期間を拡張して、収穫量を極大化するための装置及び方法を提供することに、その目的がある。
【課題を解決するための手段】
【００１４】
本発明は、前記目的によって、施設管理機内で生育される食用植物の収獲期間を拡大して収獲量を極大化させる装置において、蘭石と、パーライトと、ひゅうが土とを含む水分吸収部材を底から一定の高さだけ収容し、その水分吸収部材に水分を供給するための水を水分吸収部材の高さだけ収容し、前記水分吸収部材上に隔離のための保湿部材と肥料混合用土が順次に設けられている多数の植物栽培管理機と、前記植物栽培管理機の肥料混合用土の上に着根されるために相互の生育空間の要求距離だけ離隔されるように、固定及び配置されていて、食用植物の育苗と成苗の中のいずれかを収獲可能に生育させるために移動されている多数の生育ポットと、前記植物栽培管理機を管理者が前記食用植物の立姿収獲可能な高さで配置するために、一対が相互に離隔可能に設けられていて、前記植物栽培管理機の間に一定の離隔間隔で配列し、空気循環通路を確保するための多数の支持台と、前記一対の支持台の離隔間隔の間に、前記植物栽培管理機の配列方向に沿って、長く設けられていて、前記空気循環通路に向けて個別的に冷気と、温気の中から選択された一種の風を供給するエアホールが設けられていて、前記エアホールから供給された風によって、前記植物栽培管理機で生育されるそれぞれの前記食用植物に増産作用を促進させて、食用植物の抽苔の発生を抑制するエアダクトと、前記エアダクトの一側の末端に位置し、前記エアダクトの流路に沿って強制送風する送風ファンとを含む植物栽培管理機で食用植物の収獲期間を拡張して収穫量を極大化するための装置によって達成される。
【００１５】
また、前記支持台と前記植物栽培管理機の間に位置し、前記一対の支持台の一側と他側に沿って、それぞれ前記植物栽培管理機の配列方向へ滑り移動可能に設けられていて、前記植物栽培管理機で生育ポットに生育される食用植物の生育空間を確保するために、相互に接触されない間隔で、速やかに移動するようにガイド(誘導)する管理機移動レールと、前記植物栽培管理機内に液肥の供給と、ミネラルの供給と、微生物の供給との中から選択的に供給して、前記食用植物に適当な標的生育を提供する点滴潅水部材をさらに含むことが望ましい。
【００１６】
本発明は、前記目的の他の分野によって、施設管理機内で生育される食用植物の収獲期間を拡大して収獲量を極大化させる方法において、蘭石と、パーライトと、ひゅうが土とを含む水分吸収部材を底から一定の高さだけ収容し、その水分吸収部材に水分を供給するための水を水分吸収部材の高さだけ収容するための多数の植物栽培管理機を準備し、前記水分吸収部材の上に隔離のための保湿部材と肥料混合用土が順次に設けられる準備段階と、前記食用植物の育苗と成苗の中のいずれかが植栽された多数の生育ポットを相互の生育空間の要求距離ほど離隔されるように、固定及び配置し、前記植物栽培管理機の肥料混合用土の上に着根させ、収獲可能に生育させるために移動させるポット移動段階と、前記植物栽培管理機を管理者が前記食用植物の立姿収獲可能な高さで配置するために、一対が相互に離隔可能に設けられている多数の支持台を利用して、前記植物栽培管理機の間に一定の離隔間隔で配列し、空気循環通路を確保する通路確保段階と、前記一対の支持台の離隔間隔の間に、前記植物栽培管理機の配列方向に沿って、長く設けられているエアダクトと多数のエアホールに沿って、個別的な前記植物栽培管理機に冷気と温気の中から選択された一種の風を前記空気循環通路へ供給して、前記植物栽培管理機で生育されるそれぞれの前記食用植物に増産作用を促進させて、食用植物の抽苔の発生を抑制する抽苔防止段階とを含む植物栽培管理機で食用植物の収獲期間を拡張して収穫量を極大化するための方法によって達成される。
【００１７】
また、前記支持台と前記植物栽培管理機の間に位置し、前記一対の支持台の一側と他側に、それぞれ前記植物栽培管理機の配列方向へ滑り移動可能に設けられている管理機移動レールを利用して、前記食用植物が成苗に生育されながら、前記植物栽培管理機で生育ポットの食用植物が相互接触されない間隔で、速やかに移動するように誘導する移動誘導段階と、前記移動誘導段階の後に、前記食用植物の収獲が終わると、育苗と成苗が植栽された前記生育ポットを、前記ポット移動段階のように交替して、前記移動誘導段階に至るまで繰り返す段階をさらに含むことが望ましい。
【００１８】
そして、前記植物栽培管理機内に液肥の供給と、ミネラルの供給と、微生物の供給との中から選択的に供給して、前記食用植物に適当な標的生育を提供する点滴潅水段階をさらに含み、前記抽苔防止段階は、前記エアダクトの一側の末端に位置した送風ファンが前記エアダクトの流路に沿って、強制送風して、前記エアホールから風を供給することを含むことが望ましい。
【００１９】
一方、本発明は、前記目的の他の分野によって、露地で食用植物の収獲期間を拡大して収獲量を極大化させる方法において、蘭石と、パーライトと、ひゅうが土とを含む水分吸収部材を底から一定の高さだけ収容し、その水分吸収部材に水分を供給するための水を水分吸収部材の高さだけ収容するための多数の植物栽培管理機を準備し、前記水分吸収部材の上に隔離のための保湿部材と肥料混合用土が順次に設けられる準備段階と、前記食用植物の育苗と成苗の中のいずれかが植栽された多数の生育ポットを相互の生育空間の要求距離ほど離隔されるように、固定及び配置し、前記植物栽培管理機の肥料混合用土の上に着根させ、収獲可能に生育させるために移動させるポット移動段階と、前記植物栽培管理機を管理者または作業者が前記食用植物の立姿収獲可能な高さで配置するために、一対が相互に離隔可能に設けられている多数の支持台を利用して、前記植物栽培管理機の間に一定の離隔間隔で配列し、空気循環通路を確保する通路確保段階と、酷暑期に、温度の上昇で根圏部の呼吸量が増加される場合、前記植物栽培管理機に保存された水位を低めて、減少量ほど空隙率を増加させ、その空隙率による溶存酸素量を増加させて、抽苔の発生を抑制させる抽苔防止段階を含む植物栽培管理機で食用植物の収獲期間を拡張して収穫量を極大化するための方法によって達成される。
【発明の効果】
【００２０】
本発明は、移動の可能な植物栽培管理機で、食用植物を栽培するので、収獲の時、移動線を減らして、栽培面積を拡大し、施設や露地で食用植物の抽苔の発生を防止または抑制して、通常な収獲期間より２〜３倍以上長い収獲期間に拡張するために、前記植物栽培管理機の間に空気循環通路を確保して、その空気循環通路を通じて冷気、温気の選択的な風を供給して、前記食用植物の増産作用を促進させるので、生産量の増大によって、農産物の不足による物価の不安定を解消し、生産量の向上によって持続的に食用植物を供給して農家の所得を増大させる効果がある。
【００２１】
また、本発明は、点滴潅水部材を利用して、植物栽培管理機内に液肥の供給と、ミネラルの供給と、微生物の供給との中から選択的に供給するので、食用植物に適当な標的生育ができるようにし、良質の商品性を持つ均衡生育ができるようにするので、超精密農法が可能な効果がある。
【００２２】
また、本発明は、露地で食用植物の抽苔の発生を防止または抑制して、通常な収獲期間より２〜３倍以上長い収獲期間に拡張するために、前記食用植物が植栽された植物栽培管理機に保存された水の水位を低めて、減少量ほど空隙率を増加させて、その空隙率による溶存酸素量を増加させて、抽苔の発生を抑制させるので、施設費用を減らし、生産量の向上によって持続的に食用植物を供給して、農家の所得を増大させる効果がある。
【００２３】
また、本発明は、支持台を通じて、前記植物栽培管理機を前記食用植物の立姿収獲可能な高さで配置するので、作業者の疲労度を低めて、低労動力で収穫量を向上させるので、収穫量及び生産性を極大化させ、供給の単価を減らすことができる効果がある。
【００２４】
また、本発明は、植物栽培管理機に食用植物が植栽されたポットを肥料混合用土に埋めるように安着させるので、ポットから食用植物の分離作業を行われないので、労動力を節減させ、作業の速度を向上させ、生産性を極大化させる効果がある。
【図面の簡単な説明】
【００２５】
【図１】本発明に係る植物栽培管理機で食用植物の収獲期間を拡張して収穫量を極大化するための装置を示した斜視図である。
【図２】本発明に係る植物栽培管理機で食用植物の収獲期間を拡張して収穫量を極大化するための装置を示した断面図である。
【図３】本発明に係る植物栽培管理機を示した断面図である。
【図４】本発明に係る植物栽培管理機で食用植物の収獲期間を拡張して収穫量を極大化するための装置を適用する系統図である。
【図５】本発明に係る施設内に位置した植物栽培管理機で食用植物の収獲期間を拡張して収穫量を極大化するための方法を示したフローチャートである。
【図６】本発明に係る土耕に位置した植物栽培管理機で食用植物の収獲期間を拡張して収穫量を極大化するための方法を示したフローチャートである。
【発明を実施するための形態】
【００２６】
以下、添付された図面を参照して、本発明による植物栽培管理機で食用植物の収獲期間を拡張して収穫量を極大化するための装置及び方法を詳細に説明すると、次のとおりである。
【００２７】
図１及び図２に示されたように、本発明は、植物栽培管理機で食用植物の収獲期間を拡張して収穫量を極大化するための装置に関し、植物栽培管理機１と、生育ポット５と、支持台７と、エアダクト９と、送風ファン１０と、管理機移動レール１１と、点滴潅水部材(未図示)から構成されている。
【００２８】
前記植物栽培管理機１は、蘭石と、パーライトと、ひゅうが土とを含む水分吸収部材２を底から一定の高さだけ収容し、その水分吸収部材２に水分を供給するための水を水分吸収部材２の高さだけ収容し、前記水分吸収部材２の上に隔離のための保湿部材３と肥料混合用土４が順次に設けられている。前記保湿部材３は、下部に水分吸収部材２と、上部に肥料混合用土４の間に位置し、これらを隔離すると同時に、水分を流通させる。前記肥料混合用土４は、通常な混合用土に微量の固形肥料を混ぜたものであり、前記生育ポット５を安着し、固定させるためのものである。
【００２９】
ここで、前記植物栽培管理機１は、長さは、２〜３ｍであり、幅は、０.１ｍであり、高さは、０.１２〜０.１５ｍで形成され、収容された水が、水分吸収部材２を越さないように，水位調節孔６が形成されていて、前記水位調節孔６の下に開閉可能なノズル８が形成され、前記ノズル８は、食用植物の根圏部の溶存酸素量を向上させるために、水を排出するので、最小限の水位に調節して、減少量ほどの空隙率を増加させる。
【００３０】
図３に示されたように、前記生育ポット５は、合成樹脂または生分解性紙類パルプに、植物性オイルがコーティングされて、硬化状態を維持していて、前記植物栽培管理機の肥料混合用土４の上に着根されるために相互の生育空間の要求距離ほど離隔可能するように多数が固定及び配置されていて、食用植物の育苗と成苗の中のいずれかを収獲可能に生育させるために移動されている。また、育苗及び成苗の食用植物の植栽された生育ポット５は、前記食用植物を分離せずに、速やかに前記植物栽培管理機１の肥料混合用土４に埋めるように安着させるので、低労動力で、より速やかに作業ができるようにし、生産性が向上される。
【００３１】
前記支持台７は、前記植物栽培管理機１を作業者または管理者が前記食用植物の立姿収獲可能な高さで、平行に配置するために、一対が相互に離隔可能に設けられていて、多数の前記植物栽培管理機１の間に一定の離隔間隔で配列して、空気循環通路を確保している。前記空気循環通路は、対流循環や強制循環が形成され、前記植物栽培管理機１の間に離隔空間が形成されて、植栽された食用植物に増産作用の促進を誘導する。また、本支持台７は、組み立て型から構成されて、多段に積層可能であり、その高さを選択的に設定されるだけではなく、体積を小さくして、大量の移動が容易になっている。
【００３２】
前記エアダクト９は、長く形成されたチューブの形として、前記一対の支持台７の離隔間隔の間に、前記植物栽培管理機１の配列方向に沿って、長く円筒状に設けられ、上部に位置した前記空気循環通路に向けて、個別的に冷気と温気の中から選択された一種の風を供給するエアホール１２が設けられ、前記エアホール１２へ排出される風によって、前記植物栽培管理機１で生育されるそれぞれの前記食用植物に増産作用を促進させて、食用植物の抽苔の発生を抑制する。ここで、前記抽苔は、即ち、花軸の発生は、食用植物が成苗に生育した状態で、気温などの生育環境が良くないと、これ以上新しい芽を出すことができず、生育が止められる現象であり、収獲期間が終わることで生殖生長を意味する。
【００３３】
即ち、本エアダクト９は、高温期に冷気を供給し、または低温期に温気を供給して、食用植物に増産作用を促進させる生育環境を改善するので、抽苔の発生を抑制及び防止することができる。
【００３４】
前記送風ファン１０は、前記エアダクト９の一側の末端に位置して、前記エアダクト９の流路に沿って、強制送風し、熱交換器(未図示)の温気、または冷気を前記エアダクト９へ供給する。
【００３５】
前記管理機移動レール１１は、前記支持台７と前記植物栽培管理機１の間に位置して、前記一対の支持台７の一側と他側に沿って、それぞれ前記植物栽培管理機１の配列方向へ滑り移動可能に設けられていて、前記植物栽培管理機１で生育ポット５に生育される食用植物の生育空間を確保するために、相互に接触されない間隔で、速やかに移動するようにガイド(誘導)する。即ち、相互の接触、及び衝突して徒長にならないように、植物栽培管理機１の間を、生育空間及び空気循環通路を確保することができるように、生育状態によって離隔可能に誘導する。
【００３６】
前記点滴潅水部材(未図示)は、食用植物に提供される生育調節液を保存している外部の供給タンクと、前記生育調節液を強制的にポンピングするポンプと、ポンピングされた生育調節液を前記植物栽培管理機１内に連結して、供給する供給管が備えていて、食用植物の種類によって、適当に生育を調節するために、前記植物栽培管理機１内に液肥の供給と、ミネラルの供給と、微生物の供給との中から選択的に供給して、前記食用植物に適当な標的生育及び均衡生育を提供する。
【００３７】
上述したような本発明の必要構成要素は、施設内に、または土耕に選択的に設置されることができ、植物栽培管理機１で食用植物の収獲期間を拡張して収穫量を極大化するための方法は、次のとおりである。
【００３８】
まず、図４に示されたように、施設内に本発明が設置される場合、植物栽培管理機１と、生育ポット５と、支持台７と、エアダクト９と、送風ファン１０と、管理機移動レール１１と、点滴潅水部材とが、本発明によって困難性を持つように施設内に設置されている。
【００３９】
図５に示されたように、本発明によって、収穫量を極大化するための方法は、施設管理機内で設置されており、蘭石と、パーライトと、ひゅうが土とを含む水分吸収部材２を底から一定の高さだけ収容し、その水分吸収部材２に水分を供給するための水を水分吸収部材２の高さに収容するための多数の植物栽培管理機１を準備し、食用植物の育苗と成苗の中のいずれかが植栽された多数の生育ポット５を設置すると同時に、前記植物栽培管理機１を食用植物の立姿収獲可能な高さで配置するために、支持台７上に安着させる。ここで、前記植物栽培管理機１内には、前記水分吸収部材２の上に隔離のための保湿部材３と肥料混合用土４が順次に設けられている。
【００４０】
前記生育ポット５を、種苗から育苗及び成苗に生育させた育苗トレーで、前記植物栽培管理機１の肥料混合用土４の上に着根させ、収獲可能に生育させるために移動させ、前記植物栽培管理機１の肥料混合用土４に生育空間を充分に確保することができる一定の距離、即ち、相互の生育空間の要求距離ほど離隔されるように、固定及び配置する。この時、前記生育ポット５の固定は、前記肥料混合用土にちょっと埋められる状態を維持しながら、固定されている(ポット移動段階)。
【００４１】
この後、一対が相互に離隔可能に設けられている多数の支持台７を利用して、立姿収獲のために高く位置した前記植物栽培管理機１の間を、一定の離隔間隔で配列し、空気の循環対流が行われる空気循環通路を確保する(通路確保段階)。
【００４２】
このように、空気循環通路が確保されると、前記植物栽培管理機１で生育されるそれぞれの前記食用植物に増産作用を促進させて、食用植物の抽苔の発生を抑制するために、前記一対の支持台７の離隔間隔の間に、前記植物栽培管理機１の配列方向に沿って、長く設けられているエアダクト９と多数のエアホール１２に沿って、個別的な前記植物栽培管理機１に冷気と温気の中から選択された一種の風を前記空気循環通路へ供給する(抽苔防止段階)。
【００４３】
ここで、前記エアダクト９の一側の末端に位置した送風ファン１０が、前記エアダクト９の流路に沿って、強制送風して、前記エアホール１２へ風を供給する。
【００４４】
そして、前記支持台７と前記植物栽培管理機１の間に位置して、前記一対の支持台７の一側と他側に、それぞれ前記植物栽培管理機１の配列方向へ滑り移動可能に設けられている管理機移動レール１１を利用して、前記食用植物が生育ポット５の移動後、約７日経過すると、収穫期成苗に生育しながら、前記植物栽培管理機で生育ポット５の食用植物が相互に接触しない間隔で、植物栽培管理機１を速やかに移動するように誘導する。即ち、収穫期には食用植物の体積が植物栽培管理機１より、もっと大きく開くので、相互に葉が徒長、または傷つけない十分な距離だけ間隔を維持しなければならなく、このために管理機移動レール１１へ誘導された植物栽培管理機１を移動して間隔を形成する(移動誘導段階)。
【００４５】
一方、前記通路確保段階で、前記植物栽培管理機内に液肥の供給と、ミネラルの供給と、微生物の供給との中から選択的に供給して、前記食用植物に適当な標的生育を提供する(点滴潅水段階)。ここで、前記液肥の供給は、１２種の必要栄養素を選択的に含む栄養液を供給することであり、前記ミネラルの供給は、千枚岩と、黒雲母と、麦飯石とを含むミネラル溶液を供給することであり、前記微生物の供給は、多様な嫌気性微生物を培養した溶液を供給するものである。
【００４６】
前記植物栽培管理機１が移動されて間隔に誘導された後、前記食用植物に収獲が終わると、育苗と成苗が植栽された前記生育ポット５を、前記ポット移動段階のように交替して、前記移動誘導段階に至るまで繰り返す。即ち、抽苔の発生を抑制して、十分な収獲期間による収穫量を確保した後に、抽苔が発生すれば収獲を終了して、前記生育ポット５を前記ポット移動段階のように交替して、前記移動誘導段階に至るまで繰り返す。それで、収獲期間は通常の場合より、２〜３倍以上延長され、また収穫量も２〜３倍以上増大される。
【００４７】
一方、本発明による露地で食用植物の収獲期間を拡大して、収獲量を極大化させる方法を説明すると、次のとおりである。
【００４８】
図６に示されたように、本発明によって収穫量を極大化するための方法は、露地で設置され、蘭石と、パーライトと、ひゅうが土とを含む水分吸収部材２を底から一定の高さだけ収容し、その水分吸収部材２に水分を供給するための水を水分吸収部材２の高さだけ収容するための多数の植物栽培管理機１を準備して、食用植物の育苗と成苗の中のいずれかが植栽された多数の生育ポット５を設置する同時に、前記植物栽培管理機１を食用植物の立姿収獲可能な高さで配置するために、支持台７上に安着させる。ここで、前記植物栽培管理機１内には、前記水分吸収部材２の上に隔離のための保湿部材３と肥料混合用土４が順次に設けられている。
【００４９】
前記生育ポット５を、種苗から育苗及び成苗に生育させた育苗トレーで、前記植物栽培管理機１の肥料混合用土４の上に着根させ、収獲可能に生育させるために移動させ、前記植物栽培管理機１の肥料混合用土４に生育空間を充分に確保することができる一定の距離、即ち、相互の生育空間の要求距離ほど離隔されるように、固定及び配置する。この時、前記生育ポット５の固定は、前記肥料混合用土４にちょっと埋められる状態を維持しながら、固定されている(ポット移動段階)。
【００５０】
この後、一対が相互に離隔可能に設けられている多数の支持台７を利用して、立姿収獲のために高く位置した前記植物栽培管理機１の間を、一定の離隔間隔で配列し、空気の循環対流が行われる空気循環通路を確保する(通路確保段階)。
【００５１】
このように、空気循環通路が確保されると、酷暑期に、温度の上昇で肥料混合用土と保湿部材を突き抜いて、水分吸収部材に着根した根圏部の呼吸量が増加する場合、抽苔の発生を抑制させるために、蓋を開き、ノズル８に保存された水を排出して、前記植物栽培管理機１に保存された水位を低めるので、減少量ほど空隙率を増加させ、その空隙率による溶存酸素量を増加させと、根圏部の呼吸量が増加するので、食用植物の抽苔の発生を防止することができる(抽苔防止段階)。この時、前記低められた水位によって、水分の供給は前記食用植物に続いて形成されている。
【００５２】
そして、前記支持台７と前記植物栽培管理機１の間に位置して、前記一対の支持台７の一側と他側に、それぞれ前記植物栽培管理機１の配列方向へ滑り移動可能に設けられている管理機移動レール１１を利用して、前記食用植物が収穫期成苗に生育しながら、前記植物栽培管理機で生育ポット５の食用植物が相互接触されない間隔で植物栽培管理機１を速やかに移動するように誘導する。即ち、収穫期には、食用植物の体積が植物栽培管理機１より、もっと大きく開くので、相互に葉が徒長、または傷つけない十分な距離だけ間隔を維持しなければならなく、このために管理機移動レール１１に誘導された植物栽培管理機１を移動して間隔を形成する(移動誘導段階)。
【００５３】
一方、前記通路確保段階で、前記植物栽培管理機１内に液肥の供給と、ミネラルの供給と、微生物の供給との中から選択的に供給して、前記食用植物に適当な標的生育を提供する(点滴潅水段階)。ここで、前記液肥の供給は、１２種の必要栄養素を選択的に含む栄養液を供給することであり、前記ミネラルの供給は、千枚岩、黒雲母、麦飯石を含むミネラル溶液を供給することであり、前記微生物の供給は、植物の根圏部の発根のために多様な嫌気性微生物を培養した溶液を供給するものである。
【００５４】
前記植物栽培管理機１が移動されて間隔に誘導された後、前記食用植物に収獲が終わると、育苗と成苗が植栽された前記生育ポット５を、前記ポット移動段階とともに交替して、前記移動誘導段階になるまで繰り返す。即ち、抽苔の発生を抑制して、十分な収獲期間による収穫量を確保した後に、抽苔が発生すれば収獲を終了して、前記生育ポットを前記ポット移動段階のように交替して、前記移動誘導段階に至るまで繰り返す。それで、収獲期間は通常の場合より、２〜３倍以上延長され、また収穫量も２〜３倍以上増大される。
【図１】
2017523769.tif 000003
【図２】
2017523769.tif 000004
【図３】
2017523769.tif 000005
【図４】
2017523769.tif 000006
【図５】
2017523769.tif 000007
【図６】
2017523769.tif 000008
【国際調査報告】
2017523769.tif 000009
2017523769.tif 000010
2017523769.tif 000011
2017523769.tif 000012